(57)【特許請求の範囲】
【請求項１】
座席シートのシート座部を前方に反転させて水平とし、前記シート座部の位置に背もたれを倒して平坦な床とすることを可能とした起伏式自動車用シートにおいて、
前記座席シートのシート座部の後部位置にアイソフィックスバーの保持部材を出没可能に取り付け、
常態においては前記座席シートのシート座部と背もたれとの間に前記アイソフィックスバーが突出するように配置するとともに、
座席シートのシート座部を前方に反転させて水平とし、前記シート座部の位置に背もたれを倒して平坦な床としたときには、前記保持部材を退避させてアイソフィックスバーが前記シート座部の位置に倒した背もたれの下部に没入するようにしたことを特徴とする起伏式自動車用シート。
【請求項２】
前記座席シートのシート座部の後部位置にアイソフィックスバーの保持部材を出没可能とする手段が、
前記アイソフィックスバーの保持部材を構成する板状本体と、前記座席シートのシート座部の後部位置に取り付けた取付部材と、前記板状本体と取付部材との間を回動可能に連結する回動部材からなり、
常態においては前記座席シートのシート座部と背もたれとの間に前記アイソフィックスバーが突出するように配置するとともに、
座席シートのシート座部を前方に反転させて水平とし、前記シート座部の位置に背もたれを倒して平坦な床としたときには、前記板状本体を回動してアイソフィックスバーが前記シート座部の位置に倒した背もたれの下部に倒れるようにしたことを特徴とする請求項１に記載の起伏式自動車用シート。
【請求項３】
前記回動部材は、蝶番からなることを特徴とする請求項２に記載の起伏式自動車用シート。
【請求項４】
前記座席シートのシート座部の後部位置にアイソフィックスバーの保持部材を出没可能とする手段が、
前記座席シートのシート座部の後部位置とアイソフィックスバーの保持部材との間に取り付けた昇降部材からなり、
常態においては前記座席シートのシート座部と背もたれとの間に前記アイソフィックスバーが突出するように配置するとともに、
座席シートのシート座部を前方に反転させて水平とし、前記シート座部の位置に背もたれを倒して平坦な床としたときには、前記保持部材を下降させてアイソフィックスバーが前記シート座部の位置に倒した背もたれの下部に埋没するようにしたことを特徴とする請求項１に記載の起伏式自動車用シート。
【請求項５】
前記昇降部材は、スライド式あるいは段階的に保持することができるようにしたことを特徴とする請求項４に記載の起伏式自動車用シート。
【請求項６】
前記座席シートは、横一連のベンチシートもしくは個別シートからなることを特徴とする請求項１ないし５のいずれかに記載の起伏式自動車用シート。
【請求項７】
前記アイソフィックスバーの保持部材は、横一連のベンチシートに対応する長さでその適所にアイソフィックスバーを取り付けるか、個別シートに対応する長さでその適所にアイソフィックスバーを取り付けるようにしたことを特徴とする請求項１ないし６のいずれかに記載の起伏式自動車用シート。
【請求項８】
前記保持部材に取り付けたアイソフィックスバーは、前記板状本体の適所にコ字状をなすように取り付けたことを特徴とする請求項２に記載の起伏式自動車用シート。
【発明の詳細な説明】
【技術分野】
【０００１】
この発明は、チャイルドシートを的確かつ容易に取り付けることができる起伏式自動車用シートに関するものである。
【背景技術】
【０００２】
従来より、キャンピングカーや、バンやワゴン車をキャンピングカー仕様にした車においては、座席シートのシート座部を前方に反転させて水平とし、前記シート座部の位置に背もたれを倒して平坦な床とすることが一般的に行われている。
一方、幼児を自動車に乗せるにはチャイルドシートの使用が義務付けられており、前記起伏式シートにもチャイルドシートの装着が必要となる場合がでてきた。
【０００３】
しかしながら、前記従来のシート構造においては、アイソフィックスバーが平坦な床となった座席シートの上に突き出るように配置されている。したがって、前記シート座部を前方に反転させて水平とし、前記シート座部の位置に背もたれを倒して平坦な床とした場合、前記アイソフィックスバーは平坦な床となった座席シートの上に突き出たままの状態となっており、前述のような起伏式シートにチャイルドシートを組み込む上で大きな問題となっていた。
【先行技術文献】
【特許文献】
【０００４】
【特許文献１】特にありません。
【発明の概要】
【発明が解決しようとする課題】
【０００５】
この発明は従来例の前記問題点を解決して、アイソフィックスバーが平坦な床となった座席シートの上に突き出ないようにすることができることは勿論のこと、常態においてはチャイルドシートをワンタッチで簡単に取り付けおよび取り外しすることができる起伏式自動車用シートを提供することを目的とするものである。
【課題を解決するための手段】
【０００６】
上記の課題を解決するためになされたこの発明の起伏式自動車用シートは、座席シートのシート座部を前方に反転させて水平とし、前記シート座部の位置に背もたれを倒して平坦な床とすることを可能とした起伏式自動車用シートにおいて、
前記座席シートのシート座部の後部位置にアイソフィックスバーの保持部材を出没可能に取り付け、
常態においては前記座席シートのシート座部と背もたれとの間に前記アイソフィックスバーが突出するように配置するとともに、
座席シートのシート座部を前方に反転させて水平とし、前記シート座部の位置に背もたれを倒して平坦な床としたときには、前記保持部材を退避させてアイソフィックスバーが前記シート座部の位置に倒した背もたれの下部に没入するようにしたことを特徴とするものである。
【０００７】
この発明の起伏式自動車用シートにおいて、前記座席シートのシート座部の後部位置にアイソフィックスバーの保持部材を出没可能とする手段が、
前記アイソフィックスバーの保持部材を構成する板状本体と、前記座席シートのシート座部の後部位置に取り付けた取付部材と、前記板状本体と取付部材との間を回動可能に連結する回動部材からなり、
常態においては前記座席シートのシート座部と背もたれとの間に前記アイソフィックスバーが突出するように配置するとともに、
座席シートのシート座部を前方に反転させて水平とし、前記シート座部の位置に背もたれを倒して平坦な床としたときには、前記板状本体を回動してアイソフィックスバーが前記シート座部の位置に倒した背もたれの下部に倒れるようにしたことをも特徴とするものである。
【０００８】
この発明の起伏式自動車用シートにおいて、前記回動部材は、蝶番からなることをも特徴とするものである。
【０００９】
この発明の起伏式自動車用シートにおいて、前記座席シートのシート座部の後部位置にアイソフィックスバーの保持部材を出没可能とする手段が、
前記座席シートのシート座部の後部位置とアイソフィックスバーの保持部材との間に取り付けた昇降部材からなり、
常態においては前記座席シートのシート座部と背もたれとの間に前記アイソフィックスバーが突出するように配置するとともに、
座席シートのシート座部を前方に反転させて水平とし、前記シート座部の位置に背もたれを倒して平坦な床としたときには、前記保持部材を下降させてアイソフィックスバーが前記シート座部の位置に倒した背もたれの下部に埋没するようにしたことも特徴とするものである。
【００１０】
この発明の起伏式自動車用シートにおいて、前記昇降部材は、スライド式あるいは段階的に保持することができるようにしたことをも特徴とするものである。
【００１１】
この発明の起伏式自動車用シートにおいて、前記座席シートは、横一連のベンチシートもしくは個別シートからなることをも特徴とするものである。
【００１２】
この発明の起伏式自動車用シートにおいて、前記アイソフィックスバーの保持部材は、横一連のベンチシートに対応する長さでその適所にアイソフィックスバーを取り付けるか、個別シートに対応する長さでその適所にアイソフィックスバーを取り付けるようにしたことをも特徴とするものである。
【００１３】
この発明の起伏式自動車用シートにおいて、前記保持部材に取り付けたアイソフィックスバーは、前記板状本体の適所にコ字状をなすように取り付けたことをも特徴とするものである。
【発明の効果】
【００１４】
以上の説明からも明らかなように、この発明は起伏式自動車用シートにおいては、常態においては前記座席シートのシート座部と背もたれとの間に前記アイソフィックスバーが突出するように配置するとともに、
座席シートのシート座部を前方に反転させて水平とし、前記シート座部の位置に背もたれを倒して平坦な床としたときには、前記保持部材を回動あるいは下降させてアイソフィックスバーが平坦な床となった前記座席シート座部の位置に倒した背もたれの下部に没入するようにしたものである。
したがって、簡単な操作で座席シートのシート座部を前方に反転させて水平とし、前記シート座部の位置に背もたれを倒して平坦な床とすることができることは勿論のこと、その際にチャイルドシートの装着時に使用するアイソフィックスバーが床面から突出するという問題もなく、しかも、常態においてはチャイルドシートをワンタッチで簡単に取り付けおよび取り外しすることができるものである。
【図面の簡単な説明】
【００１５】
【図１】この発明の第１実施例を示し、（ａ）は常態における保持部材の側面図、（ｂ）は平面図である。
【図２】その斜視図である。
【図３】（ａ）は保持部材を折込んだ状態における側面図、（ｂ）は平面図である。
【図４】その斜視図である。
【図５】前記保持部材を座席に組み込んだ状態の概略側面図である。
【図６】チャイルドシートを装着しようとする状態を示す概略側面図である。
【図７】チャイルドシートを装着した状態を示す概略側面図である。
【図８】座席シートのシート座部を前方に回転した状態を示す概略側面図である。
【図９】前記保持部材を折込んだ状態の概略側面図である。
【図１０】座席シートの背もたれをシート座部の位置に倒して平坦な床とした状態を示す概略側面図である。
【図１１】この発明の第２実施例を示し、（ａ）は常態における保持部材の側面図、（ｂ）は平面図である。
【図１２】その斜視図である。
【図１３】保持部材を取付板に取り付ける状態を示す分解側面図である。
【図１４】その要部拡大斜視図である。
【図１５】保持部材を取付板の上側に取り付けた状態を示す斜視図である。
【図１６】保持部材を取付板の下側に取り付けた状態を示す斜視図である。
【図１７】チャイルドシートを装着した状態を示す概略側面図である。
【図１８】座席シートのシート座部を前方に回転した状態を示す概略側面図である。
【図１９】前記保持部材を折込んだ状態の概略側面図である。
【図２０】座席シートの背もたれをシート座部の位置に倒して平坦な床とした状態を示す概略側面図である。
【発明を実施するための形態】
【００１６】
以下、図面に基いてこの発明の起伏式自動車用シートの実施の形態を詳細に説明する。
図１ないし図１０はこの発明の起伏式自動車用シートにおいて、座席シートのシート座部の後部位置にアイソフィックスバーの保持部材を出没可能に取り付ける第１実施例を説明するものである。
図１ないし図４は、第１実施例の起伏式自動車用シートを構成するアイソフィックスバーの保持部材１１を示すものである。
前記アイソフィックスバーの保持部材１１は、左右一対のアイソフィックスバー１２を一方の側に突出するよう取付けた板状本体１３を、後述する座席シートのシート座部の後部位置に固定するための板状の取付部材１４を蝶番（回動部材）１５を介して回動可能に連結された構成となっている。
そして、前記板状本体１３に取り付けたアイソフィックスバー１２は、前記板状本体１３の適所にコ字状をなすように取り付けられている。
もちろん、前記アイソフィックスバー１２は左右一対のコ字状ではなく、両者を長尺の横棒で連結した構造であってもよい。
【００１７】
前記アイソフィックスバー１２の保持部材１１は、前記したように板状の取付部材１４を蝶番１５を介して回動可能に連結されている。したがって、前記板状の取付部材１４を後述する座席シートのシート座部の後部位置に、その取付孔１６にボルトナット等を挿通して固定すれば、前記アイソフィックスバー１２の保持部材１１の板状本体１３は首振り可能に保持される。
【００１８】
図５ないし図７は前記保持部材を座席に組み込んだ状態を説明するためのものである。
図５においては、座席シート２１のシート座部２２の後部位置にアイソフィックスバー１２の保持部材１３を首振り可能に取り付けた状態を示している。図示したような座席として使用する通常の状態においては、前記座席シート２１のシート座部２２と背もたれ２３との間に前記アイソフィックスバー１２が突出するように配置されている。
このとき、図６のように前記座席シート２１のシート座部２２の上からチャイルドシート３１を矢印方向に動かし、図７のように該チャイルドシート３１の後部から突き出たストライカ３２を前記アイソフィックスバー１２にはめ込めば、前記チャイルドシート３１は座席シート２１に極めて簡単に装着することができる。
【００１９】
図８ないし図１０は、座席シートのシート座部を前方に反転させて水平とし、前記シート座部の位置に背もたれを倒して平坦な床とする手順を示すものである。
すなわち、図８に示すように、前記座席シート２１のシート座部２２を前方に反転させて水平とする。図においては前記シート座部２２の端部側に両側のアーム２４間に差し渡した回転軸２５を挿通し、この回転軸を中心として前記座席シート２１のシート座部２２を前方に反転させるようになっている。
【００２０】
その上で、図９に示すように前記アイソフィックスバー１２の保持部材１１の板状本体１３部分を首振りさせて下向きになるよう折込む。
次いで、図１０に示すように、元々前記シート座部２２のあった位置に背もたれ２３を倒すと、前記シート座部２２と背もたれ２３とが連続する平坦な床となる。
その際、前記保持部材１１の板状本体１３を回動してアイソフィックスバー１２を下向きに折込んであるので、前記アイソフィックスバー１２は前記シート座部２２の位置に倒した背もたれ２３の下部に倒れた状態となっており、平坦な床となった座席シート２１の上に突出することがない。
【００２１】
この実施例の起伏式自動車用シートにおいては、前記座席シート２１として個別シートの場合について説明したが、座席シートは横一連のベンチシートであってもよいことは勿論である。
その場合、前記アイソフィックスバー１２の保持部材１１は、横一連のベンチシートに対応する長さとした上、その適所にアイソフィックスバー１２を適宜取り付ければよい。
なお、前記実施例においては座席シートのシート座部の後部位置に固定するための板状の取付部材１４を回動可能に連結する手段として蝶番１５を例示したが、取付部材１４を首振りあるいは起伏可能に連結することができれば何ら蝶番に限られるものではない。
【００２２】
図１１ないし図２０はこの発明の起伏式自動車用シートにおいて、座席シートのシート座部の後部位置にアイソフィックスバーの保持部材を出没可能に取り付ける第２実施例を説明するものである。
図１１および図１２は、第２実施例の起伏式自動車用シートを構成するアイソフィックスバーの保持部材４１を示すものである。
前記アイソフィックスバーの保持部材４１は、左右一対のアイソフィックスバー４２を一方の側に突出するよう取付けた板状本体４３と、後述する座席シートのシート座部の後部位置に昇降可能に取り付けるための板状の取付部材４４を一体的に連結した構成となっている。
そして、前記板状本体４３に取り付けたアイソフィックスバー４２は、前記板状本体４３の適所にコ字状をなすように取り付けられている。
もちろん、前記アイソフィックスバー４２は左右一対のコ字状ではなく、両者を長尺の横棒で連結した構造であってもよい。
【００２３】
前記アイソフィックスバー４２の保持部材４１は、前記したように板状の取付部材４４を一体的に連結されている。したがって、前記板状の取付部材４４を後述する座席シートのシート座部の後部位置に、その取付孔４５にボルトナット等を挿通して昇降可能に取り付けることができる。
【００２４】
図１３ないし図１６は前記保持部材を座席に組み込む状態を説明するためのものである。
図１３および図１４においては、座席シート（５１）のシート座部（５２）の後部位置にアイソフィックスバー４２の保持部材４３を昇降可能に取り付ける状態を示している。
すなわち、座席シートのシート座部の後部位置の取付板５４には、所定の間隔で一対の長溝５５が上下方向に形成されており、前記アイソフィックスバー４２の保持部材４１に一体的に延長した取付部材４４を前記取付板５４に押し当てて、前記取付孔４５からボルト５６を挿通して該長溝５５の裏側に突き出させ、ナット５７で締着することにより、前記アイソフィックスバー４２の保持部材４１を前記取付板５４に固定することができる。
【００２５】
その際、ボルトナット等の取付位置を前記長溝５５の上下の適宜位置とすることにより、前記アイソフィックスバー４２の高さを自在に調節することが可能となる。
図１５はボルトナット５６，５７等の取付位置を前記長溝５５の上側にして前記アイソフィックスバー４２を立ち上げた状態を、また図１６はボルトナット５６，５７等の取付位置を前記長溝５５の下側にして前記アイソフィックスバー４２を引込めた状態をそれぞれ示すものである。
【００２６】
図１７ないし図２０は前記保持部材を座席に組み込んだ状態を説明するためのものである。
図１７においては、座席シート５１のシート座部５２の後部位置にアイソフィックスバー４２の保持部材４３を昇降可能に取り付けた状態を示している。図示したような座席として使用する通常の状態においては、図１５のようにボルトナット５６，５７等の取付位置を前記長溝５５の上側にして前記アイソフィックスバー４２を立ち上げた状態であり、前記座席シート５１のシート座部５２と背もたれ５３との間に前記アイソフィックスバー４２が突出するように配置されている。
このとき、前記座席シート５１のシート座部５２の上からチャイルドシート６１を連結方向に動かし、該チャイルドシート６１の後部から突き出たストライカ６２を前記アイソフィックスバー４２にはめ込めば、前記チャイルドシート６１は座席シート５１に極めて簡単に装着することができる。
【００２７】
図１８ないし図２０は、座席シートのシート座部を前方に反転させて水平とし、前記シート座部の位置に背もたれを倒して平坦な床とする手順を示すものである。
すなわち、図１８に示すように、前記座席シート５１のシート座部５２を前方に反転させて水平とする。図においては前記シート座部５２の端部側に両側のアーム５８間に差し渡した回転軸５９を挿通し、この回転軸５９を中心として前記座席シート５１のシート座部５２を前方に反転させるようになっている。
【００２８】
その上で、図１６のようにボルトナット５６，５７等の取付位置を前記長溝５５の下側にして、図１９に示すように前記アイソフィックスバー４２を引込めた状態とする。
次いで、図２０に示すように、元々前記シート座部５２のあった位置に背もたれ５３を倒すと、前記シート座部５２と背もたれ５３とが連続する平坦な床となる。
その際、ボルトナット５６，５７等の取付位置を前記長溝５５の下側にして前記アイソフィックスバー４２を引込めた状態としてあるので、前記アイソフィックスバー４２は前記シート座部５２の位置に倒した背もたれ５３の下部に埋没した状態となっており、平坦な床となった座席シート５１の上に突出することがない。
【００２９】
この実施例の起伏式自動車用シートにおいては、前記座席シート５１として個別シートの場合について説明したが、座席シートは横一連のベンチシートであってもよいことは勿論である。
その場合、前記アイソフィックスバー４２の保持部材４１は、横一連のベンチシートに対応する長さとした上、その適所にアイソフィックスバー４２を適宜取り付ければよい。
なお、前記実施例においては座席シートのシート座部の後部位置に固定するための板状の取付部材１４を昇降可能に連結する手段として長溝５５およびボルトナット５６，５７の組合せを例示したが、取付部材１４をスライド式あるいは段階的に保持することができれば何ら長溝５５およびボルトナット５６，５７の組合せに限られるものではない。
【００３０】
以上の説明からも明らかなように、この実施例の起伏式自動車用シートにおいては、常態においては前記座席シート２１、５１のシート座部２２，５２と背もたれ２３、５３との間に前記アイソフィックスバー１２、４２が突出するように配置されている。
そして、前記座席シート２１、５１のシート座部２２、５２を前方に反転させて水平とし、前記シート座部２２、５２の位置に背もたれ２３、５３を倒して平坦な床としたときには、予め前記保持部材１１、４１の板状本体１３、４３を回動あるいは降下させてアイソフィックスバー１２、４２を下向きあるいは下方に保持しているので、該アイソフィックスバー１２、４２が平坦な床となった前記座席シート２１、５１の上に突出することはない。
したがって、簡単な操作で座席シート２１、５１のシート座部２２、５２を前方に反転させて水平とし、前記シート座部２２、５２の位置に背もたれ２３、５３を倒して平坦な床とすることができることは勿論のこと、その際にチャイルドシート３１、６１の装着時に使用するアイソフィックスバー１２、４２が床面から突出するという問題もなく、しかも、常態においてはチャイルドシート３１、６１をワンタッチで簡単に取り付けおよび取り外しすることができる。
【産業上の利用可能性】
【００３１】
以上の説明からも明らかなように、この発明の起伏式自動車用シートは発明の要旨を変更しない限り、自動車用シート以外の他の車両用シート、その他の用途にも適用できることはいうまでもない。
【符号の説明】
【００３２】
１１  保持部材
１２  アイソフィックスバー
１３  板状本体
１４  取付部材
１５  蝶番
１６  取付孔
２１  座席シート
２２  シート座部
２３  背もたれ
２４  アーム
２５  回転軸
３１  チャイルドシート
３２  ストライカ
４１  保持部材
４２  アイソフィックスバー
４３  板状本体
４４  取付部材
４５  取付孔
５１  座席シート
５２  シート座部
５３  背もたれ
５４  取付板
５５  長溝
５６  ボルト
５７  ナット
５８  アーム
５９  回転軸
６１  チャイルドシート
６２  ストライカ
【要約】
【課題】アイソフィックスバーが平坦な床となった座席シートの上に突き出ないようにすることができることは勿論のこと、チャイルドシートをワンタッチで簡単に取り付けおよび取り外しすることができる起伏式自動車用シートを提供することを目的とする。
【解決手段】前記座席シートのシート座部の後部位置にアイソフィックスバーの保持部材を首振り可能に取り付け、
常態においては前記座席シートのシート座部と背もたれとの間に前記アイソフィックスバーが突出するように配置するとともに、
座席シートのシート座部を前方に反転させて水平とし、前記シート座部の位置に背もたれを倒して平坦な床としたときには、前記保持部材を回動してアイソフィックスバーが前記シート座部と背もたれとの間から突出しないようにしたことを特徴とする起伏式自動車用シート。
【選択図】図９【図１】
0005412019.tif 000002
【図２】
0005412019.tif 000003
【図３】
0005412019.tif 000004
【図４】
0005412019.tif 000005
【図５】
0005412019.tif 000006
【図６】
0005412019.tif 000007
【図７】
0005412019.tif 000008
【図８】
0005412019.tif 000009
【図９】
0005412019.tif 000010
【図１０】
0005412019.tif 000011
【図１１】
0005412019.tif 000012
【図１２】
0005412019.tif 000013
【図１３】
0005412019.tif 000014
【図１４】
0005412019.tif 000015
【図１５】
0005412019.tif 000016
【図１６】
0005412019.tif 000017
【図１７】
0005412019.tif 000018
【図１８】
0005412019.tif 000019
【図１９】
0005412019.tif 000020
【図２０】
0005412019.tif 000021